(57)【要約】【課題】木登り用の安全具に対する着脱が容易でかつ、この安全具を用いて木に登り降りする際の作業者の安全性を向上させることができる胴綱用滑り止め具を提供する。【解決手段】木に登る際に作業者の体を支える胴綱１５の周側面上に巻回して用いられ、胴綱１５を木の幹に掛止する際の胴綱１５の滑りを防止するための胴綱用滑り止め具であって、胴綱１５の周側面上に巻回されるシート体２と、硬質材からなり、かつシート体２の主面側に突出している棘状の突起３と、シート体２に設けられ、かつこのシート体２を筒状に保持させておくための第１の固定構造４と、を備えていることを特徴とする胴綱用滑り止め具１Ａによる。【選択図】図２
2019198582.tif 000002
【特許請求の範囲】
【請求項１】
木に登る際に作業者の体を支える胴綱の周側面上に巻回して用いられ、前記胴綱を木の幹に掛止する際の前記胴綱の滑りを防止するための胴綱用滑り止め具であって、
前記胴綱の周側面上に巻回されるシート体と、
硬質材からなり、かつ前記シート体の主面側に突出している棘状の突起と、
前記シート体に設けられ、かつこのシート体を筒状に保持させておくための第１の固定構造と、を備えていることを特徴とする胴綱用滑り止め具。
【請求項２】
前記突起は、鋼材からなることを特徴とする請求項１に記載の胴綱用滑り止め具。
【請求項３】
前記突起は、前記シート体の厚み方向の少なくとも一部を貫通していることを特徴とする請求項１又は請求項２に記載の胴綱用滑り止め具。
【請求項４】
前記突起は、その外形形状がテーパー状をなしている突部と、この突部の底面に一体に設けられ、かつ前記突部の前記底面よりもその平面形状が広い抜け止め部と、を備え、
前記抜け止め部は、前記シート体の厚み部分に埋設されている、又は、前記シート体の裏面側に配されていることを特徴とする請求項１乃至請求項３のいずれか１項に記載の胴綱用滑り止め具。
【請求項５】
前記突起は、前記シート体にかしめられていることを特徴とする請求項１乃至請求項４のいずれか１項に記載の胴綱用滑り止め具。
【請求項６】
前記第１の固定構造は、面ファスナであることを特徴とする請求項１乃至請求項５のいずれか１項に記載の胴綱用滑り止め具。
【請求項７】
前記シート体において少なくとも前記胴綱と接触する領域に固設されている滑り止め部材を備えていることを特徴とする請求項１乃至請求項６のいずれか１項に記載の胴綱用滑り止め具。
【請求項８】
バンド状をなし、かつ前記胴綱用滑り止め具に一体に又は別体に設けられ、かつ前記胴綱用滑り止め具が巻回された前記胴綱を前記胴綱用滑り止め具の上から緊縛する第２の固定構造を備えていることを特徴とする請求項１乃至請求項７のいずれか１項に記載の胴綱用滑り止め具。
【請求項９】
作業者の腰に巻き付けられるベルト状の腰当てと、
綱からなり、前記腰当てに固定金具を介して取設される前記胴綱と、
前記胴綱に着脱可能に装着されている請求項１乃至請求項８のいずれか１項に記載の胴綱用滑り止め具と、を備えていることを特徴とする安全具。
【発明の詳細な説明】
【技術分野】
【０００１】
本発明は、木の幹を登る際に用いられる安全具において作業者の体重を支える胴綱に着脱可能に設けられて、木の幹に胴綱を掛止した際にその滑りを好適に防止することができる胴綱用滑り止め具およびそれを備えてなる安全具に関する。
【背景技術】
【０００２】
はじめに、本発明品の使用対象である従来技術に係る安全具とそれを用いた木の幹の登り方について図８，９を参照しながら詳細に説明する。
図８は従来技術に係る安全具の一例を示す斜視図である。また、図９（ａ）〜（ｄ）はいずれも作業員が従来技術に係る安全具を用いて幹を登る様子を示す側面図である。
図８，図９に示すように、従来技術に係る安全具１３は主に、作業者１９の腰にあてがわれるベルト状の腰当て１４と、この腰当て１４に固定金具１６を介して着脱可能に固設される胴綱１５とにより構成されるものである。
そして、このような従来技術に係る安全具１３は、例えば図８に示すように、胴綱１５の一の端部側に掛止フック１６ｂ（例えば、ナスカン等）を備えており、この掛止フック１６ｂを腰当て１４に設けられている掛止リング１６ａに着脱可能に掛着させることができる。
さらに、従来技術に係る安全具１３では胴綱１５の他の端部側に、伸縮調整具１６ｃを有しており、この伸縮調整具１６ｃから導出される胴綱１５の他の端部の長さを調節することで、腰当て１４に胴綱１５を装着した際の胴綱１５の長さを調整可能にすることができる。
【０００３】
このような従来技術に係る安全具１３を用いて木の幹を登るには、はじめに、作業者１９は木の幹の傍らに立った状態で、胴綱１５を木の幹に半周巻回してからその一の端部に設けられる掛止フック１６ｂを腰当て１４に設けられるリング状の固定金具１６に掛着させる（図示せず）。また、必要に応じて伸縮調整具１６ｃにおいて胴綱１５の掛止フック１６ｂから伸縮調整具１６ｃまでの長さを調節する。
【０００４】
この後、図９（ａ）に示すように胴綱１５を木の幹１８の周側面上に掛止して胴綱１５および腰当て１４で作業者１９自身の体重を支えながら、幹１８に両足を掛止する。このとき作業者１９は、足にスパイクの一種であるガニ２０を装着しておくことで、幹１８の周側面上において滑りを防止しながら足を掛止することができる。
さらに、この状態から図９（ｂ），（ｃ）に示すように、胴綱１５及び腰当て１４により体を支えたまま作業者１９は、幹１８のより高い位置に足を片方ずつ移動させてから、図９（ｄ）に示すように、胴綱１５の握る位置を幹１８により近い位置に移動させて、胴綱１５に反動をつけて幹１８との接触部分を鉛直上方側に、つまり、図９（ｄ）中の符合Ｐで示す方向に移動させる。
この後は、図９（ａ）〜（ｄ）に示す動作を繰り返すことで、作業者１９は木の幹１８を登ることができる。
【０００５】
このような従来技術に係る安全具１３を用いて木に登る場合、木の幹１８に掛止されている胴綱１５が滑って幹１８から外れてしまうと、作業者１９は転落してしまうので極めて危険である。
このような事情に鑑み、図８，９に示すような従来技術に係る安全具１３を用いて木の幹１８を登る際に、胴綱１５が幹１８の表面を滑らないようにするための工夫が必要とされていた。
本発明と同一の技術分野に属する先行技術としては以下に示すようなものが知られている。
【０００６】
特許文献１には「胴綱用滑り止め具」という名称で、本発明と同一の出願人による木登り時に胴綱が樹木から滑って作業者が落下するのを防止できる胴綱用滑り止め具に関する発明が開示されている。
特許文献１に開示される胴綱用滑り止め具は、文献中に記載される符号をそのまま用いて説明すると、昇木時に用いる胴綱用滑り止め具１であって、樹木当接面２２及び該樹木当接面２２に形成された複数の貫通穴２３を有する筒状容器２と、前記筒状容器２の内部に収容される板状部材３１、及び該板状部材３１における前記樹木当接面２２側に配置される面に設けられ前記複数の貫通穴２３から突出可能な複数のとげ部３２を有する滑り止め部３と、前記滑り止め部３を樹木当接面２２から離れる方向に付勢する付勢部材４と、前記筒状容器２の内部における前記板状部材３１の他方の面側に設けられ前記胴綱７を挿通可能な胴綱挿通空間５と、前記筒状容器２の両端面に形成され、前記胴綱７を挿通可能な一対の胴綱挿通穴６と、を備えてなるものである。
上記構成の特許文献１に開示される発明に係る筒状容器は、容器本体と、胴綱を着脱するための蓋部と、を備えているため、容器本体の蓋部を開閉して胴綱を着脱することができる。したがって、特許文献１に開示される発明は、既存の胴綱にも使用することができる。また、特許文献１に開示される発明は、容器本体から胴綱を簡単に分離することができ、しかも容器本体自体がコンパクトで持ち運びに便利であるというメリットを有する。
【０００７】
また、特許文献２には「防滑ロープ」という名称で、災害時の避難や運送、梱包、その他における滑りにくく、安全に使用できる防滑ロープに関する発明が開示されている。
特許文献２に開示される発明は、文献中に記載される符号をそのまま用いて説明すると、ロープ３の周面に天然ゴムや合成ゴム等の滑り止め用の突起４を多数突設したものであり、特に、複数本のストランド２を撚り合わせたロープ３の各ストランド２の外周面に天然ゴムや合成ゴムの弾力性のある突起４を一定の間隔で突設してなるものである。
上記構成の特許文献２に開示される発明によれば、ロープの外観も美麗にしつつ、ロープの周側面上に形成される突起４により弾力的な防滑効果を図ることができる。
また、特許文献２に開示される発明によれば、滑り止め用の突起が半球状をなしていることで、ロープに手を握りやすくすることができかつ滑りにくくすることができる。
【先行技術文献】
【特許文献】
【０００８】
【特許文献１】特開２０１５−４３９４１号公報
【特許文献２】特開２００６−２６３１１５号公報
【発明の概要】
【発明が解決しようとする課題】
【０００９】
上述の特許文献１に開示される発明の場合、胴綱用滑り止め具は、付勢部材として例えばバネが用いられており、この付勢部材によりとげ部が幹に押し当てられて胴綱の滑り止め効果が発揮される仕組みになっている。
このため、特許文献１に開示される発明の使用時に、万一この付勢部材が破損してしまった場合は、とげ部を幹の表面に強く押し当てることができなくなってしまい、十分な滑り止め効果が発揮されないおそれがある。
つまり、特許文献１に開示される発明の場合は、胴綱用滑り止め具の内部構造が万一破損した場合、胴綱の滑り止め効果が突然発揮されなくなってしまい、作業者が転落事故を起こす恐れがあった。
【００１０】
上述の特許文献２に開示される発明の場合は、例えば先の図８に示すような従来技術に係る安全具１３の伸縮調整具１６ｃに特許文献２に開示される防滑ロープを挿通させる際に滑り止め用の突起が邪魔になる。
また、特許文献２に開示される発明の場合、滑り止め用の突起は、天然ゴムや合成ゴムの弾力性のある材質が、ロープの表面に単に貼り付けられているだけであるため、木登りの際に滑り止め用の突起が取れてしまうおそれがある。さらに、特許文献２に開示される発明の場合は、防滑ロープを繰り返し使用することで、滑り止め用の突起が徐々に減少することが予想され、防滑ロープの滑り止め効果の低下が起こる懸念があった。
【００１１】
本発明はかかる従来の事情に対処してなされたものでありその目的は、従来技術に係る安全具の胴綱に対する着脱が容易で、かつ構造がシンプルで破損し難く、かつ作業者が幹に登る際に胴綱の滑りを確実に防止することができる胴綱用滑り止め具を提供することにある。
さらに、本発明は上記目的に加えて、本発明に係る胴綱用滑り止め具を繰り返し使用した場合も、胴綱用滑り止め具の滑り止め効果の低下が起こり難い胴綱用滑り止め具を提供することにある。
【課題を解決するための手段】
【００１２】
上記課題を解決するための第１の発明である胴綱用滑り止め具は、木に登る際に作業者の体を支える胴綱の周側面上に巻回して用いられ、胴綱を木の幹に掛止する際の胴綱の滑りを防止するための胴綱用滑り止め具であって、胴綱の周側面上に巻回されるシート体と、硬質材からなり、かつシート体の主面側に突出している棘状の突起と、シート体に設けられ、かつこのシート体を筒状に保持させておくための第１の固定構造と、を備えていることを特徴とするものである。
上記構成の第１の発明において、シート体は、複数の棘状の突起を保持するという作用を有する。また、棘状の突起は、木の幹の表面に押し当てられた際にスパイクのように機能して胴綱の滑動を抑制するという作用を有する。さらに、第１の固定構造は、胴綱の周側面上に棘状の突起を有するシート体を筒状に巻回した状態で保持させるという作用を有する。
【００１３】
第２の発明である胴綱用滑り止め具は、上述の第１の発明において、突起は、鋼材からなることを特徴とするものである。
上記構成の第２の発明は、上述の第１の発明による作用と同じ作用に突起を鋼材により構成することで、合成樹脂等により突起を構成する場合に比べて、突起の強度を高めるという作用を有する。
また、安全具の胴綱に第２の発明である胴綱用滑り止め具を装着して木登りに用いた際に、この突起が幹の表面においてスパイクのような役割を果たすことで、幹の表面における胴綱の滑りを抑制するという作用を有する。
【００１４】
第３の発明である胴綱用滑り止め具は、上述の第１又は第２の発明において、突起は、シート体の厚み方向の少なくとも一部を貫通していることを特徴とするものである。
上記構成の第３の発明は、上述の第１又は第２の発明による作用と同じ作用に加えて、突起がシート体の厚み方向の少なくとも一部を貫通させておくことで、シート体から個々の突起を外れ難くするという作用を有する。
【００１５】
第４の発明である胴綱用滑り止め具は、上述の第１乃至第３のそれぞれの発明において、突起は、その外形形状がテーパー状をなしている突部と、この突部の底面に一体に設けられ、かつ突部の底面よりもその平面形状が広い抜け止め部とを備え、この抜け止め部は、シート体の厚み部分に埋設されている、又は、シート体の裏面側に配されていることを特徴とするものである。
上記構成の第４の発明は、上述の第１乃至第３のそれぞれの発明による作用と同じ作用に加えて、突起が抜け止め部を備えていることで、シート体から突起を一層外れ難くするという作用を有する。
【００１６】
第５の発明である胴綱用滑り止め具は、上述の第１乃至第４のそれぞれの発明において、突起は、シート体にかしめられていることを特徴とするものである。
上記構成の第５の発明は、上述の第１乃至第４のそれぞれの発明による作用と同じ作用に加えて、突起がシート体にかしめられていることで、シート体に接着剤等を用いることなく強固に個々の突起を固設させるという作用を有する。
【００１７】
第６の発明である胴綱用滑り止め具は、上述の第１乃至第５のそれぞれの発明において、第１の固定構造は、面ファスナであることを特徴とするものである
上記構成の第６の発明は、上述の第１乃至第５のそれぞれの発明による作用と同じ作用に加えて、第１の固定構造が面ファスナであることで、シート体への第１の固定構造の取付けを容易にするという作用を有する。また、第６の発明によれば、胴綱への第６の発明である胴綱用滑り止め具の着脱作業を容易にするという作用も有する。
【００１８】
第７の発明である胴綱用滑り止め具は、上述の第１乃至第６のそれぞれの発明において、シート体において少なくとも胴綱と接触する領域に固設されている滑り止め部材を備えていることを特徴とするものである。
上記構成の第７の発明は、上述の第１乃至第６のそれぞれの発明による作用と同じ作用に加えて、シート体において少なくとも胴綱と接触する領域（シート体の裏面側）に滑り止め部材を備えていることで、安全具の胴綱にシート体を巻回した際に、胴綱の周側面上においてシート体が滑るのを妨げるという作用を有する。
そして、この作用により第７の発明である胴綱用滑り止め具を胴綱に装着した状態で木の幹に掛止した際の、幹の表面と第７の発明である胴綱用滑り止め具との間の滑りを好適に抑制するという作用を有する。
【００１９】
第８の発明である胴綱用滑り止め具は、上述の第１乃至第７のそれぞれの発明において、バンド状をなし、かつ胴綱用滑り止め具に一体に又は別体に設けられ、かつ胴綱用滑り止め具が巻回された胴綱を胴綱用滑り止め具の上から緊縛する第２の固定構造を備えていることを特徴とするものである。
上記構成の第８の発明は、上述の第１乃至第７のそれぞれの発明による作用と同じ作用に加えて、第２の固定構造を備えていることで、第８の発明である胴綱用滑り止め具を装着した胴綱を木の幹に掛止した場合に、第１の固定構造による固定状態を解除するような力がシート体に作用する際に、胴綱からシート体が外れるのを妨げるという作用を有する。
【００２０】
第９の発明である安全具は、作業者の腰に巻き付けられるベルト状の腰当てと、綱からなり、腰当てに固定金具を介して取設される胴綱と、この胴綱に着脱可能に装着されている第１乃至第８のいずれかの発明である胴綱滑り止め具と、を備えていることを特徴とするものである。
上記構成の第９の発明において、腰当ては胴綱に連結されて作業者の体重を支えるという作用を有する。胴綱は、作業者が木登りをする場合や、木の幹の所望の位置にとどまる際に、幹の所望の位置に作業者の体を保持させて、作業者が落下するのを妨げるという作用を有する。
また、第１乃至第８のいずれかの発明である胴綱滑り止め具は、胴綱を木の幹に掛止させた際に、幹の周側面上において胴綱が滑るのを妨げるという作用を有する。
【発明の効果】
【００２１】
このような第１の発明によれば、従来公知の安全具において胴綱を腰当ての固定金具に取設した後で、胴綱に第１の発明である胴綱用滑り止め具を巻回して着脱させることができる。
また、第１の発明によれば、第１の発明である胴綱用滑り止め具を胴綱に装着したものを木の幹に掛止した場合に、棘状の突起の頂部が木の幹の周側面に押し当てられてスパイクのように機能して、胴綱が幹の表面で滑るのを好適に防止することができる。
この結果、第１の発明を安全具に装着して木登り又は木の上での作業を行うことで、木の幹の表面で胴綱が滑って作業者が木から滑落するのを好適に防止することができる。
よって、第１の発明によれば、安全具を用いて木に登る場合や木の上で作業を行う場合の作業者の安全性を大幅に向上させることができる。
また、第１の発明である胴綱用滑り止め具は、その外形がシート状であるため嵩張り難く携行が容易であるというメリットも有している。
【００２２】
第２の発明によれば、上述の第１の発明による効果と同じ効果に加えて、突起を鋼材により構成することで、突起の強度並びに耐久性を大幅に向上させることができる。
さらに、第２の発明によれば、シート体の主面側に突出する棘状の突起による胴綱の滑り止め効果を一層高めることができる。
【００２３】
第３の発明によれば、上述の第１又は第２の発明による効果と同じ効果に加えて、突起がシート体の厚み方向の少なくとも一部を貫通して設けられていることで、シート体と突起の密着性を高めることができる。
この結果、シート体の表面に突起を貼設する場合に比べて、第３の発明である胴綱用滑り止め具の使用時に、シート体から突起が外れてしまうリスクを低減することができる。
よって、第３の発明によれば、より信頼性と安全性の高い胴綱用滑り止め具を提供することができる。
【００２４】
第４の発明によれば、上述の第１乃至第３のそれぞれの発明による効果と同じ効果に加えて、突起を平面視した際に、突部の平面形状よりも広い抜け止め部を備えていることで、シート体から突起を一層外れ難くすることができる。
よって、第４の発明によれば、上述の第１乃至第３のそれぞれの発明と比較してより信頼性と安全性の高い胴綱用滑り止め具を提供することができる。
【００２５】
第５の発明によれば、上述の第１乃至第４のそれぞれの発明による効果と同じ効果に加えて、突起がシート体にかしめられていることで、シート体から突起を一層外れ難くすることができる。
よって、第５の発明によれば、上述の第１乃至第４のそれぞれの発明と比較してより信頼性と安全性の高い胴綱用滑り止め具を提供することができる。
【００２６】
第６の発明によれば、上述の第１乃至第５のそれぞれの発明による効果と同じ効果に加えて、第１の固定構造が面ファスナであることで、胴綱へのシート体の着脱を容易にすることができる。
また、第６の発明によれば、シート体への第１の固定構造の取付けも容易にすることができ、かつ第１の固定構造を備えた第６の発明を廉価に提供できるというメリットも有する。
【００２７】
第７の発明によれば、上述の第１乃至第６のそれぞれの発明による効果と同じ効果に加えて、シート体において少なくとも胴綱と接触する領域（シート体の裏面側）に滑り止め部材を設けることで、第７の発明を装着した胴綱を木の幹に掛止させた際に、胴綱の周側面上において第７の発明である胴綱用滑り止め具が滑るのを防止することができる。
よって、第７の発明によれば、より信頼性と安全性の高い胴綱用滑り止め具を提供することができる。
【００２８】
第８の発明によれば、上述の第１乃至第６のそれぞれの発明による効果と同じ効果に加えて、胴綱に装着された胴綱用滑り止め具の周側面上から胴綱を緊縛することができる第２の固定構造を備えていることで、万一、胴綱用滑り止め具を装着した胴綱の使用時にシート体を固定する第１の固定構造が解除されても、胴綱から胴綱用滑り止め具が外れるのを防止することができる。
よって、第８の発明によれば、より信頼性と安全性の高い胴綱用滑り止め具を提供することができる。
【００２９】
第９の発明は、上述の第１乃至第８のそれぞれの胴綱用滑り止め具を備えた安全具を物の発明として特定したものであり、第９の発明による効果は、第１乃至第８のそれぞれの発明による効果と同じである。
【図面の簡単な説明】
【００３０】
【図１】本発明の実施例１に係る胴綱用滑り止め具の斜視図である。
【図２】本発明の実施例１に係る胴綱用滑り止め具を胴綱に装着した様子を示す概念図である。
【図３】図２中のＡ−Ａ線断面図である。
【図４】本発明の実施例２に係る胴綱用滑り止め具の断面図である。
【図５】（ａ）本発明の実施例３に係る胴綱用滑り止め具の断面図であり、（ｂ）本発明の実施例３に係る胴綱用滑り止め具を胴綱に装着した様子を示す概念図である。
【図６】本発明の実施例４に係る胴綱用滑り止め具の部分断面図である。
【図７】本発明の実施例５に係る胴綱用滑り止め具の部分断面図である。
【図８】従来技術に係る安全具の一例を示す斜視図である。
【図９】（ａ）〜（ｄ）はいずれも作業員が従来技術に係る安全具を用いて幹を登る様子を示す側面図である。
【発明を実施するための形態】
【００３１】
本発明の実施の形態に係る胴綱用滑り止め具について実施例１乃至実施例４を参照しながら詳細に説明する。
【実施例１】
【００３２】
はじめに、図１乃至図３を参照しながら本発明の実施例１に係る胴綱用滑り止め具１Ａについて説明する。
図１は本発明の実施例１に係る胴綱用滑り止め具の斜視図であり、図２は本発明の実施例１に係る胴綱用滑り止め具を胴綱に装着した様子を示す概念図である。さらに、図３は図２中のＡ−Ａ線断面図である。図８，９に記載されたものと同一部分については同一符号を付し、その構成についての説明は省略する。
図１，２に示すように実施例１に係る胴綱用滑り止め具１Ａは、先の図８に示すような安全具１３の胴綱１５の周側面上に巻回されるシート体２と、硬質材からなり、かつシート体２の主面側に突出している複数の棘状の突起３と、シート体２に設けられ、かつこのシート体を筒状に保持させておくための第１の固定構造４と、を備えてなるものである。
【００３３】
このような実施例１に係る胴綱用滑り止め具１Ａにおけるシート体２は、例えば人の体重に相当する荷重により引っ張られた場合でも破損しないような十分な強度を有する材質により構成されていることが望ましい。このようなシート体としては、皮革や、天然素材の繊維又は合成繊維からなる織物や、合成樹脂等の成形体、あるいはこれらに表面処理を施してなるシート体を支障なく使用することができる。
【００３４】
また、実施例１に係る胴綱用滑り止め具１Ａの突起３は、衝撃等により容易に破損しない硬質材により構成することが望ましい。例えば、人の体重に相当する荷重を突起３に対して加えた場合でも変形しない合成樹脂や金属製とするのがよい。さらに、特に突起３を金属により構成する場合は、高い強度が期待できる鋼材を用いることが望ましい。
【００３５】
また、このような実施例１に係る胴綱用滑り止め具１Ａは、図２に示すように胴綱１５の周側面上に巻回した状態で用いられる。このため、実施例１に係る胴綱用滑り止め具１Ａは、胴綱１５の周側面上にシート体２を巻回した際に、その状態を維持しておくための第１の固定構造４を備えている必要がある。
このような第１の固定構造４は、胴綱１５の周側面上においてシート体２が巻回された状態を維持しておくことができればどのような構造でもよい。
【００３６】
実施例１に係る胴綱用滑り止め具１Ａでは、第１の固定構造４として例えば、オスタイプ及びメスタイプからなる面ファスナを用いることができる。
この場合、図１乃至図３に示すように、シート体２の一方の端部の主面側（突起３が突設される側の面）にオスタイプ又はメスタイプの面ファスナ５ａを設けておき、シート体２の他の端部の裏面側にメスタイプ又はオスタイプの面ファスナ５ｂを設けておくとよい。
そして、胴綱１５にシート体２を巻回した際に、図２，３に示すように、シート体２のそれぞれの端部に設けられている面ファスナ５ａ，５ｂ同士を重ね合わせることでシート体２の端部を着脱可能に固定することができる。これにより、胴綱１５の周側面上に、シート体２を着脱可能に装着することができる。
なお、図１，２ではシート体２の端部に、細帯状の面ファスナ５ａ及び面ファスナ５ｂを設ける場合を例に挙げて説明しているが、面ファスナ５ａ及び面ファスナ５ｂの幅は図示されるものに特定される必要はなく、胴綱１５の周側面上を巻回できる程度の十分な幅を有していてもよい。この場合、胴綱１５の周側面上にシート体２が巻回されて１層以上の層構造をなす場合もある。
【００３７】
このような実施例１に係る胴綱用滑り止め具１Ａを用いて木の幹に登るには、まず、先の図８に示す胴綱１５において保護カバー１７が設けられている部分に先の図１に示す実施例１に係る胴綱用滑り止め具１Ａのシート体２を、図２に示すように胴綱１５の周側面上に巻回して固定する。なお、胴綱１５は、図８に示すような保護カバー１７を備えていなくともよい。
この後は、先の図９に示す要領で安全具１３を用いて木の幹１８に登ればよい。
【００３８】
また、安全具１３の胴綱１５に装着する胴綱用滑り止め具１Ａの数は単数である必要はなく、胴綱１５を用いて木の幹１８を登る際に、胴綱１５と木の幹１８とが接触する部分の全域に実施例１に係る胴綱用滑り止め具１Ａを隙間なく装着してもよいし、所望間隔毎に複数の胴綱用滑り止め具１Ａを装着してもよい。
このような実施例１に係る胴綱用滑り止め具１Ａを安全具１３の胴綱１５に装着した場合は、先の図９（ａ）〜（ｄ）に示す状態において、胴綱１５と木の幹１８との間に、実施例１に係る胴綱用滑り止め具１Ａが介設されることなる。
この場合、シート体２の主面側に突設される突起３がスパイクのような働きをして、木の幹１８の表面における胴綱１５の滑りを防止することができる。
したがって、作業者は実施例１に係る胴綱用滑り止め具１Ａを備えた安全具１３を用いることで、作業者１９は安全に木の幹１８を登り降りすることができる。
【００３９】
上述の通り実施例１に係る胴綱用滑り止め具１Ａは、安全具１３の胴綱１５と木の幹１８との間に介設された状態で使用されるため、個々の突起３には大きな荷重が作用する。
このため、突起３をシート体２の表面に単に接着しただけでは、実施例１に係る胴綱用滑り止め具１Ａの使用時に突起３がシート体２から容易に剥がれてしまうおそれがある。また、シート体２から突起３が不意に外れてしまった場合は、木の幹１８の表面に対する胴綱１５の滑り止め効果が十分に発揮されなくなる。
この場合、木登りの最中に胴綱１５が滑ってしまうと、作業者１９が木の幹から落下してしまう恐れもあり極めて危険である。
【００４０】
このような事情に鑑み、本発明の実施例１に係る胴綱用滑り止め具１Ａでは、図３に示すように、突起３をシート体２の厚み方向の少なくとも一部を貫通させながらシート体２に固設してもよい。
この場合、突起３がシート体２の主面上に単に接合するのではなく、シート体２に突起３が掛止されるので、実施例１に係る胴綱用滑り止め具１Ａの使用時に、シート体２から突起３が不意に外れてしまうリスクを低減することができる。
さらに、実施例１に係る胴綱用滑り止め具１Ａでは、図３に示すように突起３を突部３ａとその根元に形成される抜け止め部３ｂとにより構成しておき、突部３ａをシート体２の主面側に導出させるとともに、抜け止め部３ｂをシート体２の内部又は裏面側に配してもよい。なお、突起３を側面視した場合、抜け止め部３ｂの最大直径は、突部３ａの最大直径よりも大きくなるよう構成されている。
実施例１に係る胴綱用滑り止め具１Ａが、このような突部３ａ及び抜け止め部３ｂからなる突起３を備えていることで、シート体２に突起３を設けた際に、シート体２から突起３を一層外れ難くすることができる。
【００４１】
なお、突起３がシート体２の厚み方向の全てを貫通している場合は、突起３が抜け止め部３ｂを備えていても、シート体２において突起３を挿通させる穴が広がるなどした場合は、実施例１に係る胴綱用滑り止め具１Ａの使用時に突起３が抜けてしまうリスクが高まる。
このような事情に鑑み、図３に示すように、例えばシート体２を第１の層２ａと第２の層２ｂからなる層構造とし、これらの接合部分に突起３の抜け止め部３ｂを介設してもよい。この場合、第１の層２ａ、第２の層２ｂ及び突起３は互いに図示しない接着剤等により一体化しておくとよい。
このように、シート体２の厚み方向内部に突起３の抜け止め部３ｂを埋設することで、シート体２から突起３を一層抜けにくくすることができる。この結果、実施例１に係る胴綱用滑り止め具１Ａによれば、シート体２に対する突起３の接着部分における信頼性が高く、かつ使用時の安全性に優れた胴綱用滑り止め具を提供することができる。
【００４２】
また、特に図示しないが、突起３が突部３ａ及び抜け止め部３ｂからなる場合に、抜け止め部３ｂに複数の貫通孔（選択的構成要素）を散在させた状態で形成しておいてもよい。
このような突起３は、抜け止め部３ｂに形成されている貫通孔を利用して、抜け止め部３ｂをシート体２の主面側に縫着することができる。この場合、突起３をシート体２の主面側に接着する場合よりも、突起３がシート体２から外れるリスクを大幅に軽減することができる。
また、このような抜け止め部３ｂ及び貫通孔を備えている突起３は、シート体２の厚み方向の一部を貫通した状態でシート体２に設ける場合でも、貫通孔を利用してシート体２に突起３の抜け止め部３ｂを縫着することができる。
この場合は、図３に示される、シート体２に対する突起３の固定強度を一層高めることができるという効果を有する。
【実施例２】
【００４３】
次に、図４を参照しながら実施例２に係る胴綱用滑り止め具について詳細に説明する。
図４は本発明の実施例２に係る胴綱用滑り止め具の断面図である。なお、図１乃至図３，８，９に記載されたものと同一部分については同一符号を付し、その構成についての説明は省略する。
図４に示すように、実施例２に係る胴綱用滑り止め具１Ｂは、先の実施例１に係る胴綱用滑り止め具１Ａと同じ構成に加えて、シート体２において少なくとも胴綱１５と接触する領域（シート体２の裏面側）にシート体２に一体に固設されている滑り止め部材７を備えているものである。
なお、特に図示しないが、シート体２が第１の層２ａ及び第２の層２ｂの多層構造からなる場合は、滑り止め部材７と第２の層２ｂとを兼用してもよい。
また、図４では、シート体２の裏面にシート状の滑り止め部材７を貼設する場合を例に挙げて説明しているが、この形態に特定される必要はなく、シート体２の裏面に滑り止め部材からなるエンボス加工を施してもよい。
【００４４】
このような実施例２に係る胴綱用滑り止め具１Ｂによれば、先の図８に示す安全具１３の胴綱１５に実施例２に係る胴綱用滑り止め具１Ｂを装着した際に、シート体２と胴綱１５の間に滑り止め部材７が介設されることになる。
この場合、実施例２に係る胴綱用滑り止め具１Ｂを装着した安全具１３を用いて先の図８に示す要領で木の幹１８に登る場合に、胴綱１５を幹１８に掛止した際に、胴綱１５の周側面上においてシート体２の裏面がスリップするのを好適に防止することができる。
この場合、安全具１３の胴綱１５に装着された実施例２に係る胴綱用滑り止め具１Ｂが胴綱１５と一体となって機能するので、作業者１９が安全具１３を用いて木の幹１８に登る際の安全性を一層向上させることができるというメリットを有している。
【実施例３】
【００４５】
さらに、図５を参照しながら本発明の実施例３に係る胴綱用滑り止め具について詳細に説明する。
図５（ａ）は本発明の実施例３に係る胴綱用滑り止め具の断面図である。（ｂ）は本発明の実施例３に係る胴綱用滑り止め具を胴綱に装着した様子を示す概念図である。なお、図１乃至図４，８，９に記載されたものと同一部分については同一符号を付し、その構成についての説明は省略する。
実施例３に係る胴綱用滑り止め具１Ｃは、第１の固定構造４として面ファスナ５ａ及び面ファスナ５ｂ以外の構成を備えてなるものである。
より具体的には、実施例３に係る胴綱用滑り止め具１Ｃは、第１の固定構造４としてシート体２の一の端部側にハトメ８を、またシート体２の他の端部側にこのハトメ８の貫通孔９に挿通させるための突起３を備えてなるものである。
この場合、図５（ｂ）に示すようにシート体２の他の端部に配されている突起３を、ハトメ８の貫通孔９に挿通させることで、胴綱１５の周側面上にシート体２を固定することができる。
また、実施例３に係る胴綱用滑り止め具１Ｃでは、シート体２において第１の固定構造４をなす突起３も、木の幹１８に登る際の滑り止め用のスパイクとして使用することができる。
【実施例４】
【００４６】
続いて、図６を参照しながら実施例４に係る胴綱用滑り止め具について詳細に説明する。
図６は本発明の実施例４に係る胴綱用滑り止め具の部分断面図である。なお、図１乃至図５，８，９に記載されたものと同一部分については同一符号を付し、その構成についての説明は省略する。
図６に示すように、実施例４に係る胴綱用滑り止め具１Ｄは、シート体２に突起３をかしめたものである。
より具体的には、実施例４に係る突起３は、突部３ａと抜け止め部３ｂとが別体からなるものである。このような実施例４に係る突起３の突部３ａはその底面に挿入穴１１と、この挿入穴１１に続く中空部１０を備えている。また、実施例４に係る突起３の抜け止め部３ｂは、平板状の抜け止め部３ｂの中央に挿入部１２を備えている。
そして、このような実施例４に係る突起３をシート体２に取り付けるには、抜け止め部３ｂに設けられる挿入部１２を、シート体２の裏面側からシート体２の厚み方向に貫通させた後、この挿入部１２を突部３ａの底面に形成されている挿入穴１１から中空部１０内へと挿通させる。
この後、専用の治具（図示せず）で突部３ａを固定した状態で、抜け止め部３ｂの挿入部１２が突設されない側の面を強打すると、突部３ａの中空部１０内に挿入された挿入部１２の先端が中空部１０の底に当って変形して変形部１２ａとなり、図６に示すような挿入穴１１からの抜け止めとなる。
【００４７】
上述のような実施例４に係る胴綱用滑り止め具１Ｄによれば、シート体２に突起３を強固に固設することができるので、実施例１乃至３に係る胴綱用滑り止め具１Ａ〜１Ｃよりもより安全性に優れた胴綱用滑り止め具を提供することができる。
【００４８】
最後に、図７を参照しながら実施例５に係る胴綱用滑り止め具１Ｅについて説明する。
図７は、本発明の実施例５に係る胴綱用滑り止め具の部分断面図である。なお、図１乃至図６，８，９に記載されたものと同一部分については同一符号を付し、その構成についての説明は省略する。
先の図１乃至図６では、シート体２に対して突起３を個別に設ける場合を例に挙げて説明してきたが、複数の突起３を一体化したものをシート体２に固設することによっても同等の作用効果を発揮させることができる。
より具体的には、実施例５に係る胴綱用滑り止め具１Ｅにおける突起２１は、複数の棘状の突部２１ａの根元部分が連結部２１ｂにより一体に連結されてなるものである。
そして、実施例５に係る胴綱用滑り止め具１Ｅでは、このような突起２１をシート体２に糸２２により縫着することで一体に固定してなるものである。
もちろん、突起２１の固定方法としては糸２２による縫着のみでなく、接着剤による固定を併用してもよい。
【００４９】
また、図７ではシート体２の主面側に突起２１を載置するようにして固設しているが、突起２１の突部２１ａをシート体２の厚み方向を貫通させながら突起２１を配置してから、シート体２の裏側において連結部２１ｂを糸２２により縫着してもよい（図示せず）。この場合はシート体２の主面側に突起２１を載置するようにして縫着する場合に比べて、シート体２から突起２１が外れるリスクを一層低減させることができる。
このように、シート体２に対して接着剤以外の固定構造又は固定部材を用いて突起３や突起２１を固定する場合は、シート体２に対して接着材のみを用いて突起３や突起２１を固設する場合に比べて、より強固に突起３や突起２１をシート体２に固設することができる。この結果、発明品に係る胴綱用滑り止め具の使用時の作業者１９の安全性を一層向上させることができる。
【００５０】
さらに、特に図示しないが、上述の実施例１乃至実施例５に係る胴綱用滑り止め具は、シート体２に一体に固設され、又は、シート体２とは別体に設けられ、かつ胴綱１５に巻回されている実施例１乃至実施例５に係る胴綱用滑り止め具の上から緊縛することができるバンド状の第２の固定構造を備えていてもよい。
このような第２の固定構造は、単なる紐やバンド体を結んで固定できるよう構成されるものでもよいし、又は、解除構造付きの結束バンド（インシュロック）を用いてもよい。あるいは、解除構造を備えない結束バンド（インシュロック）を使い捨て部材として備えていてもよい。
そして、上述の実施例１乃至実施例５に係る胴綱用滑り止め具がこのような第２の固定構造を備えている場合は、実施例１乃至実施例５に係る胴綱用滑り止め具の使用時に、何らかの原因で第１の固定構造４が外れてしまった場合でも、第２の固定構造により実施例１乃至実施例５に係る胴綱用滑り止め具が胴綱１５から完全に外れてしまうのを防止することができる。つまり、この第２の固定構造は、実施例１乃至実施例５に係る胴綱用滑り止め具における安全装置として機能するものである。
この結果、作業者１９が実施例１乃至実施例５に係る胴綱用滑り止め具を備えた胴綱１５を用いて木の幹１８を登る際に、胴綱１５からが実施例１乃至実施例５に係る胴綱用滑り止め具が外れて、木の幹１８の表面上で胴綱１５がスリップするのを好適に防止することができる。
したがって、実施例１乃至実施例５に係る胴綱用滑り止め具の使用時における作業者１９の安全性を一層向上させることができる。
【００５１】
上述のような実施例１乃至実施例５に係る胴綱用滑り止め具によれば、先の図安全具１３に示す胴綱１５に装着して用いることで、作業者１９が木の幹１８を登り降りする際の作業者１９の安全性を向上させるという効果を有する。
さらに、実施例１乃至実施例５に係る胴綱用滑り止め具を備えることで安全具１３の使用時に、胴綱１５が木の幹１８に直接触れないので、胴綱１５自体の損傷を防止して、胴綱１５の耐久性が低下するのを防止することができる。
また、上述のような実施例１乃至実施例５に係る胴綱用滑り止め具では、シート体２に対する突起３の十分な接合強度を有しているものの、経時劣化に伴うシート体２からの突起３の落脱は避けられない。実施例１乃至実施例５に係る胴綱用滑り止め具が劣化した場合、シート体２から全ての突起３が一時に外れるということはなく、突起３のどれかが徐々にシート体２から落脱することになる。この場合、シート体２から突起３が取れ始めることで、作業者１９は発明品に係る胴綱用滑り止め具の劣化が進んでいることを認識することができ、その胴綱用滑り止め具の使用をやめる、あるいは新しいものに交換するなどの対策を講じることができる。
よって、実施例１乃至実施例５に係る胴綱用滑り止め具を使用して木の幹を登りする際に、発明品である胴綱用滑り止め具が突如致命的に破損して作業者１９の落下事故が起こるのを回避することができる。よって、この点からも実施例１乃至実施例５に係る胴綱用滑り止め具を用いる場合の安全性を向上させることができる。
また、実施例１乃至実施例５に係る胴綱用滑り止め具は、図８に示す安全具１３において、胴綱１５の端部をその固定金具１６である伸縮調整具１６ｃに挿通させた後の胴綱１５に対して着脱させることができるので、その取扱いが極めて容易である。したがって、実施例１乃至実施例５に係る胴綱用滑り止め具によれば作業者１９にとって極めて使い勝手の良い胴綱用滑り止め具を提供することができる。
【産業上の利用可能性】
【００５２】
以上説明したように本発明は、木登り用の安全具に対する着脱が容易でかつ、この安全具を用いて木に登り降りする際の作業者の安全性を向上させることができる胴綱用滑り止め具およびそれを備えてなる安全具であり、電力設備の保守点検や林業に関する技術分野において利用可能である。
【符号の説明】
【００５３】
１Ａ〜１Ｅ…胴綱用滑り止め具  ２…シート体  ２ａ…第１の層  ２ｂ…第２の層  ３…突起  ３ａ…突部  ３ｂ…抜け止め部  ４…第１の固定構造  ５ａ…面ファスナ  ５ｂ…面ファスナ  ７…滑り止め部材  ８…ハトメ  ９…貫通孔  １０…中空部  １１…挿入穴  １２…挿入部  １２ａ…変形部  １３…安全具  １４…腰当て  １５…胴綱  １６…固定金具  １６ａ…掛止リング  １６ｂ…掛止フック  １６ｃ…伸縮調整具  １７…保護カバー  １８…幹  １９…作業者  ２０…ガニ  ２１…突起  ２１ａ…突部  ２１ｂ…連結部  ２２…糸
【図１】
2019198582.tif 000003
【図２】
2019198582.tif 000004
【図３】
2019198582.tif 000005
【図４】
2019198582.tif 000006
【図５】
2019198582.tif 000007
【図６】
2019198582.tif 000008
【図７】
2019198582.tif 000009
【図８】
2019198582.tif 000010
【図９】
2019198582.tif 000011